(57)【要約】【構成】  施術具は、シート状で一方の表面が導電性のベースと、ベースの中央部から突き出しかつ表面が導電性の突起とを備え、突起とベースとが電気的に接続されている。【効果】  施術具を負の電位を発生する直流電源に接続すると、ベースの表面と突起の表面とが負の電位となり、突起を臍孔、耳孔等に差し込み、シート状のベースをそれらの周囲にあてがうことにより、電位治療を施すことができる。【選択図】    図１
2017023322.tif 000002
【特許請求の範囲】
【請求項１】
ベースと、ベースから突き出しかつ表面が導電性の突起とを備えている施術具。
【請求項２】
前記ベースはシート状で一方の表面が導電性で、前記突起はベースの中央部から突き出し、前記突起と前記ベースとが電気的に接続されていることを特徴とする、請求項１の施術具。
【請求項３】
前記突起では弾性材の周囲に導電糸が巻き回されており、前記導電糸は突起からベースへ延びてかつベースの表面に螺旋状に配置されていることを特徴とする、請求項１または２の施術具。
【請求項４】
前記導電糸は炭素繊維と天然繊維とを撚り合わせた糸であることを特徴とする、請求項１〜３のいずれかの施術具。
【請求項５】
前記突起が人の臍孔に差し込むのに適した形状で、前記ベースが臍孔の周囲にあてがうのに適した形状であることを特徴とする、請求項１〜４のいずれかの施術具。
【発明の詳細な説明】
【技術分野】
【０００１】
この発明は電位治療に用いる施術具に関する。
【背景技術】
【０００２】
電位治療では、負の電位にした施術具を人体の皮膚等に接触させ、人体の電位を下げる。発明者らは、特許文献１（特開２０１４−３９７７３）において、ベースから炭素の突起が多数突き出している施術具を提案した。その後、発明者は中枢神経や内臓と深い関係の有る臍孔を介して電位治療を行うことを検討した。しかしながら既存の施術具は臍孔などに差し込むようにはできていない。    
【先行技術文献】
【特許文献】
【０００３】
【特許文献１】特開２０１４−３９７７３
【発明の概要】
【発明が解決しようとする課題】
【０００４】
この発明の課題は、臍孔、耳孔、鼻孔、眼窩、口腔、肛門等に電位治療を行うのに適した施術具を提供することにある。
【課題を解決するための手段】
【０００５】
この発明の施術具は、ベースと、ベースから突き出しかつ表面が導電性の突起とを備えている。好ましくは突起とベースは電気的に接続され、ベースにリード線が取り付けられている。この発明の施術具を負の電位を発生する直流電源に接続し、突起の表面を負の電位にして、突起を臍孔、耳孔、鼻孔、眼窩、口腔、肛門等の人体の孔に差し込むと、電位治療を施すことができる。
【０００６】
好ましくは、ベースはシート状で一方の表面が導電性で、前記突起はベースの中央部から突き出し、前記突起と前記ベースとが電気的に接続されている。そして施術具を負の電位を発生する直流電源に接続し、突起を臍孔、耳孔、鼻孔、眼窩、口腔、肛門等に差し込み、シート状のベースをそれらの周囲にあてがうと、臍孔等の孔とその周囲に電位治療を施すことができる。
【０００７】
好ましくは、突起では弾性材の周囲に導電糸が巻き回されており、導電糸は突起からベースへ延びてかつベースの表面に螺旋状に配置されている。弾性体のために突起は形を保ち、また導電糸により突起とベースとに導電性を付与できる。
【０００８】
好ましくは、導電糸は炭素繊維と天然繊維とを撚り合わせた糸である。炭素繊維により導電性が得られ、天然繊維と撚り合わせることにより、軟らかくかつ皮膚を刺激しないようにする。
【０００９】
好ましくは、突起が人の臍孔に差し込むのに適した形状で、ベースが臍孔の周囲にあてがうのに適した形状である。臍孔とその周囲に電位治療を行うことができる。
【図面の簡単な説明】
【００１０】
【図１】実施例の施術具の平面図
【図２】実施例での導電糸の側面図
【図３】実施例の施術具の拡大断面図
【図４】実施例の施術具の要部拡大断面図
【図５】変形例の施術具の拡大断面図
【図６】第２の変形例の施術具の拡大断面図
【発明を実施するための形態】
【００１１】
以下に、本願発明の最適実施例を示す。本願発明の実施に際しては、当業者の常識及び先行技術の開示に従い、実施例を適宜に変更できる。
【実施例】
【００１２】
図１〜図４に、実施例の施術具２を示す。施術具２は、平板状で例えば円板状のベース４と、ベース４の中央部から、ベース４の面に垂直に突き出す突起８とを備えている。ベース４の表面には導電糸６が螺旋状に固定され、また突起８の表面に導電糸６が螺旋状に巻かれて、コイル７を形成している。ベース４の導電糸６と突起８のコイル７は電気的に接続され、実施例では１本の導電糸６がコイル７を形成すると共にベース４に螺旋状に固定されている。ベース４の円周部付近、言い換えるとベース４の側部で、導電糸６はリード線１０に接続され、１２はリード線１０の端子である。
【００１３】
図２に示すように、導電糸６は炭素繊維２２と絹糸等の天然繊維２４とを撚ったものである。炭素繊維２２により導電性が生じ、硬い炭素繊維２２のみでは皮膚に刺激を与えるので、天然繊維２４と撚り合わせて軟らかくする。また天然繊維、特に絹糸は皮膚への刺激が少ない。  
【００１４】
図３，図４に示すように、ベース４は表裏の基布１４，１４の間に、シート状の弾性材１６を挟んだ袋である。突起８は、導電糸６のコイル７と、コイル７の内側の弾性材１８とを備えている。コイル７はベル状で、先端の巻出し部２６から導電糸６により巻かれて、コイル７の基端から導電糸６はベース４の表面へ配置される。コイル７の内部に、詰め綿、クッション材、シリコンゴム等の弾性材１８が配置され、コイル７は天然繊維等の糸２０により弾性材１８に固定され、また突起８もベース４へ糸２０により固定されている。
【００１５】
施術具２は導電性があり、しかも皮膚に刺激を与える材料を用いていない。中央の突起８は臍孔、耳孔、鼻孔、眼窩、口腔、肛門等に差し込むことができ、ベース４はそれらの孔の周囲に当てることができる。必要であればバンド等により、施術具２を臍、耳等に固定する。そしてベース４の表面と突起８の表面は導電性があるので、臍孔、耳孔、鼻孔、口腔、眼窩、肛門等とその周囲に電位治療を施すことができる。
【００１６】
リード線１０の端子１２を負電位を発生させる直流電源に接続し、施術具２の突起８を臍、耳、鼻孔、眼窩、口腔、肛門等の孔に差し込み、ベース４をそれらの周囲に接触させる。突起８の表面とベース４の表面は負電位となり、人体の孔とその周囲が負電位となり、電位治療が行われる。      
【００１７】
施術具２を製作するには、コイル７を巻いて、弾性材１８をコイル７の内部に詰める。そして突起８をベース４に糸２０で固定し、コイル７の導電糸６も糸２０で固定する。次いでコイル７からの導電糸６をベース４の表面に螺旋状に配置して糸２０で固定し、導電糸６の端部にリード線１０を取り付ける。
【００１８】
図５は量産に適した施術具５２を示し、特に指摘する点以外は図１〜図４の実施例と同様である。突起５８は導電性ゴム、例えば炭素粉末を混合したシリコンゴムから成り、底部のつば６０で、糸、接着剤等によりベース５４に固定されている。また６２は炭素繊維混合シートで、少量の炭素繊維と天然繊維等の他の繊維とから成り、布状で、ベース５４の表面に固定され、突起５８と接触し、電気的に接続されている。施術具５２でも、シート６２と突起５８とが、リード線１０を介して、負の直流電源に接続されて、負の電位となる。そして、臍孔、耳孔等の孔へ突起５８を差し込み、その周囲にベース５４をあてがうことにより、電位治療を行うことができる。
【００１９】
図６は第２の変形例の施術具７２を示し、特に指摘する点以外は、図１〜図４の施術具２と同様である。施術具７２ではベース７４が小さく、臍孔等の孔の周囲への施術は対象としない。施術具７２でも、突起８はベース７４の一面から突き出し、導電糸６は突起８からベース７４の表面を巻回してリード線１０に接続されている。ここでベース７４は突起８よりも大径なので、耳孔等へ突起８が入り込みすぎてしまうことへのストッパとしても作用する。なお突起８の根元に導電糸６のコブなどを設けてストッパとしても良い。この場合、ベース７４は突起８の根元とほぼ同じ径でも良い。
【００２０】
なお導電糸６等をベース４の裏面（突起８等と反対側の面）にも配置しても良く、またベース４にソケット等を設けて、電源からのリード線と接続するようにしても良い。
【符号の説明】
【００２１】
２，５２，７２  施術具
４，５４，７４  ベース
６            導電糸
７            コイル
８，５８      突起
１０          リード線
１２          端子
１４          基布
１６，１８    弾性材
２０          糸
２２          炭素繊維
２４          天然繊維
２６          巻出し部
６０          つば
６２          炭素繊維混合シート
【図１】
2017023322.tif 000003
【図２】
2017023322.tif 000004
【図３】
2017023322.tif 000005
【図４】
2017023322.tif 000006
【図５】
2017023322.tif 000007
【図６】
2017023322.tif 000008